(57)【特許請求の範囲】
【請求項１】
解体重機のアタッチメント部に搭載した静電気発生装置と、
帯電ガンと、
アタッチメント部を包囲する電気的に中性な集じんカバーと、重機の周囲に設置した電気的に中性な吸引シートとで構成した、
粉じん回収装置。
【発明の詳細な説明】
【技術分野】
【０００１】
本発明は、粉じん回収装置に関するものであり、特に発泡樹脂材料由来の粉じんの回収装置に関するものである。
【背景技術】
【０００２】
建築物の解体に伴って多くの粉じんが発生する。
解体対象物に例えば凍結防止養生シートのように発泡樹脂材料が設置されている場合には、発泡樹脂材料由来の粉じんが発生する。
このような発泡樹脂材料由来の粉じんは軽量であるために遠方まで飛散する可能性がある。
そのために従来は解体現場で散水を行い、粉じんの飛散を阻止する方法が採用されている。（図３）
あるいはトンネルの切羽での粉じん拡散防止のために特許文献１に記載したような方法も提案されている。
【特許文献１】特開平５−１３３２００号公報
【発明の概要】
【発明が解決しようとする課題】
【０００３】
前記したような従来の粉じん対策を解体の現場に採用するにあっては、次のような問題点がある。
＜１＞散水する方法は簡単であるが、それで粉じんの発生量が低下するものではない。
＜２＞粒径の大きい粉じんは散水ではとらえがたく、強風時には遠方まで飛散してしまう。
＜３＞特許文献１に記載してあるような切羽を静電ガンで包囲する方法は、粉じん発生現場の周囲が天井や壁で囲まれた場所では採用できるが、建築物の解体現場のように周囲が解放された現場で採用することは困難である。
＜４＞粉じんが発泡樹脂材料由来のものである場合にはそれが撥水性の材料であるために、散水しても粉じんを回収することができない。
【課題を解決するための手段】
【０００４】
上記のような課題を解決した本発明の粉じん回収装置は、解体重機のアタッチメント部に搭載した静電気発生装置と、帯電ガンと、アタッチメント部を包囲する電気的に中性な集じんカバーと、重機の周囲に設置した電気的に中性な吸引シートとで構成したことを特徴としたものである。
【発明の効果】
【０００５】
本発明の粉じん回収装置は以上説明したようになるから次のような効果を得ることができる。
＜１＞  解体重機のアタッチメントに静電気発生装置を取り付けてあるので、発泡樹脂材料由来の粉じんが発生した直後に、粉じんにマイナスイオン粒子を付着させて、それをアタッチメント部を包囲している傘状でかつ電気的に中性なカバーで捕捉させる構造である。
＜２＞  したがって発泡樹脂材料由来の粉じんは、発生直後にカバーで捕捉することができ、周囲への飛散を抑えることができる。
＜３＞  カバーでの捕捉が不十分で粉じんが周囲に飛散した場合でも、その周囲には電気的に中性である吸引シートが配置してあるから、このシートで捕捉することができ、現場外への飛散を防止することができる。
＜４＞  アタッチメントの周囲に設置してあるカバーに付着した粉じんは、負圧で吸引してタンクへ誘導して処理することができる。
【図面の簡単な説明】
【０００６】
【図１】本発明の粉じん回収装置の実施例の説明図。
【図２】その断面図。
【図３】従来の方法の説明図。
【発明を実施するための形態】
【０００７】
以下図面を参照しながら本発明の粉じん回収装置の実施例を説明する。
【実施例】
【０００８】
＜１＞全体の構成
本発明の粉じん回収装置は、解体重機１のアタッチメント２に取り付けた静電気発生装置３と、その周囲に設置した集じんカバー４と、重機の外周に配置した吸引シート５によって構成する。
【０００９】
＜２＞本発明の基本技術
本発明の装置では、対象物である粉じんを意図的に帯電させて回収を容易にする構成である。
そのために、静電気発生装置３と、帯電ガン３１をアタッチメント２に取りつける。
【００１０】
＜３＞静電気発生装置
静電気発生装置３とはたとえばバンデグラフ装置のように知られており市販されているのでそれらを使用することができる。
【００１１】
＜４＞帯電ガン
粉じんを帯電させるために、例えばコロナ帯電ガン３１を使用する。
この帯電ガン３１を粉じんに向けておき、静電気発生装置３の電源スイッチをＯＮにすると、直流高電圧が簡易帯電ガン３１先端、すなわちコロナ放電電極の針に印加され、マイナスイオン粒子を放射できる。
このマイナスイオン粒子を粉じんに衝突させることによって、粉じんをマイナスに帯電させる事ができる。
【００１２】
＜５＞集じんカバー
アタッチメント２の周囲には、集じんカバー４を取り付ける。
この集じんカバー４は、アタッチメント２部を包囲する、アタッチメント２の先端に向けて開放した傘状の部材である。
この集じんカバー４は、静電気発生装置３とは電気的に接続することなく、電気的に中性な状態を維持している。
粉じんはマイナスイオンの衝突によってマイナスに帯電しているから、電気的に中性である集じんカバー４との間にクローン力が作用し、粉じんは集じんカバー４に付着させて捕捉することができる。
【００１３】
＜６＞透明部
集じんカバー４は上記したようにアタッチメント２部を包囲する、傘状の部材であるが、特にその一部に透明窓４１を形成したり（図２）、あるいは全部を透明の材料によって形成することもできる。
そのようにカバーの一部、あるいは全部が透明であると、解体重機１のオペレータが操縦席から集じんの状態を目視することができ、より効率のよい集じん作業を行うことができる。
【００１４】
＜７＞負圧による吸引
集じんカバー４には、その一部に吸引孔を開口する。
そしてこの吸引孔に回収ホース１１の一端を取り付け、回収ホース１１の他端は、重機１に搭載した、負圧を発生させるポンプに接続する。
すると、静電気発生装置３をＯＦＦとして、粉じんの帯電を除去すれば、集じんカバー４の内面に付着した粉じんを、回収ホース１１からの負圧で吸引して回収することができる。
【００１５】
＜８＞重機での解体
建築物などの躯体を解体するには重機１を使用するが、そのアタッチメント２に上記した静電気発生装置３、帯電ガン３１、集じんカバー４を取り付ける。
傘状の集じんカバー４は、アタッチメント２の先端側、すなわち解体対象物の側に向けて開放してある。
帯電ガン３１から発生するマイナスイオン粒子は、集じんカバー４の開放面に向けて放射され、解体対象物から発生する粉じんに衝突して付着し、粉じんをマイナスに帯電させる。
【００１６】
＜９＞集じんカバーによる集じん
マイナスイオン粒子が衝突してマイナスに帯電した粉じんと、その周辺を覆っている電気的に中性である集じんカバー４の間には、粉じんに付与した荷電量に応じて電気的な引力が作用する。
この引力によって粉じんを集じんカバー４に吸引し、付着して捕捉する。
このように解体で発生した直後の発泡樹脂材料由来の粉じんは、すぐ近くでその周囲を包囲する集じんカバー４に付着させてそれ以降の飛散を阻止することができる。
【００１７】
＜１０＞負圧による吸引
集じんカバー４の面積には限度があるから、大量の粉じんを付着させておくことができない。
そこで、一端静電気発生装置３の電源をＯＦＦにしてマイナスイオンの放射を停止し、吸引ホース１１からの負圧によってタンクへ回収する。
その後、再度静電気発生装置３の電源をＯＮにして、発泡樹脂材料由来の粉じんにマイナスイオンを衝突させて集じんカバー４に付着させる作業を再開する。
【００１８】
＜１１＞粉じん吸引シート
発泡樹脂材料由来の粉じんが発生する現場の周囲には粉じん吸引シート５を配置しておく。
これは電気的に中性な吸引シート５であり、重機１の作業現場の周囲に、重機１の高さ程度の高さに組んだ足場に吸引シート５を取りつける。
前記の場合と同様に、マイナスイオン粒子が衝突してマイナスに帯電した粉じんと、重機を包囲した状態でその周辺を覆っている電気的に中性である吸引シート５の間で、粉じんに付与した荷電量に応じて発生している電気的な引力を利用して、この引力によって粉じんを吸引シート５に吸引させて付着し捕捉する。
【００１９】
＜１２＞集じん工程の手順
以上の集じん工程の手順を、各装置のＯＮ、ＯＦＦの手順に沿って示すと次の通りである。
１）  静電気発生装置３ＯＮ。
２）  吸引スイッチＯＮ。
３）  静電気発生装置３ＯＦＦ。（粉じんの吸引の開始）
４）  静電気発生装置３ＯＮ。
５）  吸引スイッチＯＦＦ。
【符号の説明】
【００２０】
１：解体重機
２：アタッチメント
３：静電気発生装置
４：集じんカバー
５：吸引シート
【図１】
0005824420.tif 000002
【図２】
0005824420.tif 000003
【図３】
0005824420.tif 000004